(57)【要約】【課題】報知演出のバリエーションを増やすことができる押しボタン型スイッチ装置の提供。【解決手段】ボタン部41の押圧方向に沿って移動可能にボタン部41を支持する取付ベース21を設け、この取付ベース21に移動可能に支持されたボタン部41を、振動用ソレノイド操作機44A で押圧方向に沿って往復駆動し、且つ、振動用ソレノイド操作機44A に与える駆動電圧パルスのパルス幅及びパルス振幅が可変となっている電圧パルス供給装置で振動用ソレノイド操作機44A に電力を供給するようにしたので、振動用ソレノイド操作機44A を振動させるにあたり、その振動の振幅や振動数を任意に変化させることができ、これにより、押しボタン型スイッチ装置40で報知演出を行うにあたり、振動するボタン部41の振幅や振動数の異なる複数種類の報知演出の実行が可能となり、報知演出のバリエーションを増やすことができる。【選択図】    図６
2013162885.tif 000002
【特許請求の範囲】
【請求項１】
遊技機の遊技者に対向する前面部分に設けられるとともに、遊技者に押圧操作されるボタン部と、このボタン部が押圧操作されたことを検出する操作検出部とを備えた押しボタン型スイッチ装置であって、
前記ボタン部の押圧方向に沿って移動可能、且つ、前記ボタン部の押圧方向に沿って移動可能に、前記ボタン部を支持する基部と、
前記ボタン部を押圧方向に沿って往復駆動する振動用ソレノイド操作機とを備え、
前記振動用ソレノイド操作機を駆動するための駆動電圧パルスを前記振動用ソレノイド操作機に与えるとともに、前記振動用ソレノイド操作機に与える駆動電圧パルスのパルス幅及びパルス振幅が可変となっている電圧パルス供給装置に電気的に接続されていることを特徴とする押しボタン型スイッチ装置。
【請求項２】
前記ボタン部の押圧方向における背後に、前記振動用ソレノイド操作機が設けられ、
前記振動用ソレノイド操作機の横には、前記ボタン部の押圧操作を行えなくする強制停止用ソレノイド操作機が並設され、
この強制停止用ソレノイド操作機は、当該強制停止用ソレノイド操作機に設けられている電磁コイルによって往復駆動される強制停止用プランジャ部を有し、
前記強制停止用プランジャ部と前記ボタン部とは、前記強制停止用プランジャ部の往復駆動方向とは交差する方向に延びる腕部を有するとともに、この腕部で前記強制停止用プランジャ部の往復駆動方向から外れた位置に駆動力を伝達することができるリンク部材を介して相互に連結されていることを特徴とする請求項１記載の押しボタン型スイッチ装置。
【請求項３】
前記リンク部材には、前記ボタン部に近接する端部近傍に配置されるとともに、前記ボタン部の押圧方向に沿って延びる長孔が形成され、
前記ボタン部には、前記リンク部材の前記長孔に挿通される突起部が設けられていることを特徴とする請求項２記載の押しボタン型スイッチ装置。
【発明の詳細な説明】
【技術分野】
【０００１】
本発明は、遊技機の遊技者に対向する前面部分に設けられるとともに、遊技者に押圧操作されるボタン部と、このボタン部が押圧操作されたことを検出する操作検出部とを備えた押しボタン型スイッチ装置に関する。
【背景技術】
【０００２】
従来より、遊技者に娯楽を提供する遊技機として、外周面に複数種類の図柄が記された複数の回転リールを備え、回転状態の回転リールを遊技者に停止させて図柄を揃えさせる遊技を行うスロットマシンが利用されている。
更に具体的に説明すると、スロットマシンにメダルを投入した後、遊技者がスタートレバー装置を操作すると、複数の回転リールが一斉に回転駆動される。この後、押しボタン型スイッチ装置を押圧すると、押しボタン型スイッチ装置に対応した回転リールが停止するようになっている。
この際、リール窓内に表示された複数の図柄が特定の組合せに揃ったときに入賞となり、入賞すると、入賞した役に応じた数のメダルがスロットマシンから遊技者に払い出されることとなる。
【０００３】
このようなスロットマシンでは、遊技が行われる毎に遊技の当否に係る当否抽選が内部で行われ、この当否抽選で当選することにより、所定の当選役に対応した当選フラグが成立し、これにより、当該当選役に入賞することが可能となる。換言すると、当否抽選で当選することにより初めて、リール窓内に所定の組合せの図柄を停止させることができるようになっている。
そして、遊技毎に行われる当否抽選で、大きな利益が得られる特別入賞に対応した当選役、例えば、ボーナスゲームに当選して、ボーナスゲームに対応する当選フラグが成立すると、遊技者は、その遊技の成り行きにより、ボーナスゲームへの入賞が可能となる。
【０００４】
ここで、スロットマシンとしては、大きな利益が得られる可能性のある当選フラグの成立等の遊技に係る遊技情報を遊技中の遊技者に知らせる報知演出、例えば、装飾用のランプを点滅あるいは連続的に点灯させる等の所定の演出動作を行うものがある。
なお、パチンコ機等の種類の異なる遊技機においても、遊技情報を遊技者に知らせる報知演出を行うものが存在している。
【０００５】
前述のような報知演出としては、装飾用のランプを作動させるものの他に、回転リールを停止させるための押しボタン型スイッチ装置に設けられたボタン部を振動させ、これにより、報知演出を行うものが知られている。
具体的に説明すると、押しボタン型スイッチ装置を利用する報知演出では、押しボタン型スイッチ装置として、遊技者の指等で、直接、押圧操作されるボタン部と、ボタン部を押圧方向に沿って移動可能に支持する筒状の装置筐体と、ボタン部を遊技者に近づく方向へ付勢するばねと、装置筐体に取り付けられるとともに当該装置筐体を振動させるバイブモータとを備えたものを採用し、所定の遊技情報を報知するにあたり、バイブモータの作動によってボタン部を振動させ、押圧操作するためにボタン部に触れた遊技者の指等に、その振動を伝え、これにより、遊技者に対して所定の遊技情報の報知を行うようになっている（例えば、特許文献１参照）。
【０００６】
【特許文献１】特開２００８−６１６８７号公報
【発明の概要】
【発明が解決しようとする課題】
【０００７】
前述のような押しボタン型スイッチ装置では、バイブモータで装置筐体を振動させるので、振動の振幅が一定となるうえ、バイブモータを定格の回転数で作動させる必要があるので、振動数も一定となる。このため、振動の振幅や振動数を任意に変化させることができず、報知演出のバリエーションを増やすことができない、という問題がある。
この問題を解決するために、装置筐体を振動させるにあたり、作動時に振動数が固定されるバイブモータに代えて、作動時に振動数が固定されないソレノイドを採用することが考えられるが、前述の押しボタン型スイッチ装置では、当該押しボタン型スイッチ装置全体を振動させる必要があり、振動させる対象が重いので、振幅を大きくし、且つ、単位時間当たりの振動数を増やすにあたり、押しボタン型スイッチ装置に設けらえるソレノイドを、強力な大型のものにする必要があり、これにより、押しボタン型スイッチ装置がさらに重くなり、ソレノイドに代えたとしても、振幅を大きくし、且つ振動数を増やすことは困難であり、従って、振動の振幅や振動数を任意に変化させることができず、報知演出のバリエーションを増やせない、という前述の問題を解決することはできない。
【０００８】
本発明は、このような問題を解決するためになされたものであり、報知演出のバリエーションを増やすことができる押しボタン型スイッチ装置を提供することを目的とする。
【課題を解決するための手段】
【０００９】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【００１０】
（請求項１）
（特徴点）
請求項１記載の発明は、次の点を特徴とする。
すなわち、請求項１に記載された発明は、遊技機(１)の遊技者に対向する前面部分に設けられるとともに、遊技者に押圧操作されるボタン部(41)と、このボタン部(41)が押圧操作されたことを検出する操作検出部(42)とを備えた押しボタン型スイッチ装置(40)であって、前記ボタン部(41)の押圧方向に沿って移動可能、且つ、前記ボタン部(41)の押圧方向に沿って移動可能に、前記ボタン部(41)を支持する基部(21)と、前記ボタン部(41)を押圧方向に沿って往復駆動する振動用ソレノイド操作機(44A) とを備え、前記振動用ソレノイド操作機(44A) を駆動するための駆動電圧パルスを前記振動用ソレノイド操作機(44A) に与えるとともに、前記振動用ソレノイド操作機(44A) に与える駆動電圧パルスのパルス幅及びパルス振幅が可変となっている電圧パルス供給装置に電気的に接続されていることを特徴とするものである。
【００１１】
（請求項２）
（特徴点）
請求項２記載の発明は、前述した請求項１に記載の発明において、次の特徴点を備えているものである。
すなわち、請求項２記載の発明は、前記ボタン部(41)の押圧方向における背後に、前記振動用ソレノイド操作機(44A) が設けられ、前記振動用ソレノイド操作機(44A) の横には、前記ボタン部(41)の押圧操作を行えなくする強制停止用ソレノイド操作機(43A) が並設され、この強制停止用ソレノイド操作機(43A) は、当該強制停止用ソレノイド操作機(43A) に設けられている電磁コイルによって往復駆動される強制停止用プランジャ部(43D) を有し、前記強制停止用ソレノイド操作機(43A) と前記ボタン部(31)とは、前記強制停止用プランジャ部(43D) の往復駆動方向とは交差する方向に延びる腕部(45D) を有するとともに、この腕部(45D) で前記強制停止用プランジャ部(43D) の往復駆動方向から外れた位置に駆動力を伝達することができるリンク部材(45)を介して相互に連結されていることを特徴とする。
【００１２】
（請求項３）
（特徴点）
請求項３記載の発明は、前述した請求項２に記載の発明において、次の特徴点を備えているものである。
すなわち、請求項３記載の発明は、前記リンク部材(45)に、前記ボタン部(41)に近接する端部近傍に配置されるとともに、押圧方向に沿って延びる長孔(45B) が形成され、前記ボタン部(41)には、前記リンク部材(45)の前記長孔(45B) に挿通される突起部(41M) が設けられていることを特徴とする。
【発明の効果】
【００１３】
（請求項１の効果）
以上のように構成されている本発明は、以下に記載されるような効果を奏する。
すなわち、請求項１記載の発明によれば、ボタン部の押圧方向に沿って移動可能にボタン部を支持する基部を設け、この基部に移動可能に支持されたボタン部を、振動用ソレノイド操作機で押圧方向に沿って往復駆動し、且つ、振動用ソレノイド操作機に与える駆動電圧パルスのパルス幅及びパルス振幅が可変となっている電圧パルス供給装置で振動用ソレノイド操作機に電力を供給するようにしたので、振動用ソレノイド操作機が振動させるべき振動の対象物がボタン部のみとなり、振動用ソレノイド操作機自身を振動させる必要も、基部を振動させる必要もなく、振動させる対象が著しく軽くなる。
また、振動用ソレノイド操作機を駆動するための駆動電圧パルスを振動用ソレノイド操作機に与える電圧パルス供給装置として、振動用ソレノイド操作機に与える駆動電圧パルスのパルス幅及びパルス振幅が可変となっているものを採用したので、振動用ソレノイド操作機を振動させるにあたり、その振動の振幅や振動数を任意に変化させることができ、これにより、押しボタン型スイッチ装置で報知演出を行うにあたり、振動するボタン部の振幅や振動数の異なる複数種類の報知演出の実行が可能となり、報知演出のバリエーションを増やすことができ、前記目的が達成される。
【００１４】
（請求項２の効果）
請求項２記載の発明によれば、上記した請求項１記載の発明の効果に加え、次のような効果を奏する。
すなわち、ボタン部の押圧方向における背後に設けられた振動用ソレノイド操作機の横に、強制停止用ソレノイド操作機を設け、この強制停止用ソレノイド操作機の作動によって、ボタン部の押圧操作が行えないようにしたので、報知演出のバリエーションとして、ボタン部が固定されて押圧操作が行えない報知演出を追加でき、この点からも、報知演出のバリエーションを増やすことができる。
また、強制停止用ソレノイド操作機に備えられている強制停止用プランジャ部の往復駆動方向とは交差する方向に延びる腕部を有するとともに、この腕部で強制停止用プランジャ部の往復駆動方向から外れた位置に駆動力を伝達することができるリンク部材を設け、このリンク部材を介して、強制停止用ソレノイド操作機とボタン部とを相互に連結したので、ボタン部の押圧方向における背後に配置された振動用ソレノイド操作機の横に強制停止用ソレノイド操作機を並設したために、強制停止用ソレノイド操作機の往復駆動力をボタン部に直接伝達できなくても、リンク部材を介して強制停止用ソレノイド操作機の往復駆動力をボタン部に伝達することができ、従って、報知演出のバリエーションを増やすために、一つのボタン部に対して振動用ソレノイド操作機及び強制停止用ソレノイド操作機の二つの操作機を配置しても、何ら問題が生じることがなく、この点から、報知演出のバリエーションを確実に増やすことができる。
【００１５】
（請求項３の効果）
請求項３記載の発明によれば、上記した請求項１又は２記載の発明の効果に加え、次のような効果を奏する。
すなわち、リンク部材で強制停止用プランジャ部とボタン部とを相互に連結するにあたり、リンク部材におけるボタン部の近接する端部近傍に、その押圧方向に沿って延びる長孔を形成し、ボタン部側にリンク部材の長孔に挿通される突起部を設けたので、ボタン部が押圧されていないとともに、強制停止用ソレノイド操作機が作動していない状態において、長孔におけるボタン部に近い方の端部に、ボタン部の突起部が常に接触するように、長孔及び突起部の位置関係等を設定すれば、長孔のボタン部に近い方の端部から遠い方の端部までの間を突起部が往復する場合、突起部の往復動を規制するものが何らなく、突起部を自由に往復動させることができる。
このため、強制停止用ソレノイド操作機が作動していないときは、長孔によって、強制停止用プランジャ部とボタン部とが連結されていないのと同じ状態となり、強制停止用ソレノイド操作機でボタン部の操作が行えないようにしても、ボタン部の押圧操作を阻害するものが何ら発生せず、ボタン部の操作力を軽くすることができ、これにより、ボタン部を操作しやすいものにすることができる。
【図面の簡単な説明】
【００１６】
【図１】本発明の一実施形態に係るスロットマシンを示す正面図である。
【図２】前記実施形態に係る複合スイッチ装置を示す正面図である。
【図３】前記実施形態に係る複合スイッチ装置を示す平面図である。
【図４】前記実施形態に係る複合スイッチ装置を正面側から示す分解斜視図である。
【図５】図４の複合スイッチ装置を背面側から示す分解斜視図である。
【図６】前記実施形態に係る押しボタン型スイッチ装置の機構を示す斜視図である。
【図７】前記実施形態に係る押しボタン型スイッチ装置の機構を示す側面図である。
【発明を実施するための形態】
【００１７】
以下に、本発明を実施するための形態である一実施形態について、図面を参照しながら説明する。
（スロットマシン１の概要）
図１には、本発明の一実施形態に係る遊技機であるスロットマシン１が示されている。図１において、スロットマシン１は、三個の回転リール11の各々に記された複数種類の図柄が所定の組み合わせとなるように、回転している回転リール11を停止させる遊技を行うものである。
このスロットマシン１には、図１に示すように、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
【００１８】
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００１９】
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄に記されている。そして、各回転リール11の図柄は、筐体２の外部から表示窓4Aを通して目視可能となっている。
【００２０】
上部パネル部４の上端縁部分には、正面形状が逆台形状に形成された演出用照明装置4Bが設けられている。この演出用照明装置4Bは、上部パネル部４の上端縁部分のほぼ中央に配置されている。演出用照明装置4Bの両端部は、上部パネル部４の角隅部分まで達することなく、その手前の位置で途切れたものとなっている。
また、上部パネル部４の上側における両角近傍には、正面形状が湾曲した帯状に形成されるとともに、漢数字の「八」を描く一対の演出用照明装置4Cが設けられている。これらの演出用照明装置4Cの各々は、その上端部が演出用照明装置4Bの端部近傍に配置されるとともに、その下端側の部分が上部パネル部４の側縁へ向かって斜め下方に延びたものとなっている。
さらに、上部パネル部４の両方の側縁には、演出用照明装置4Cの下端に接続された別の演出用照明装置4Dがそれぞれ設けられている。これらの演出用照明装置4Dの各々は、演出用照明装置4Cと同様に、上下方向に細長い帯状に形成されたものであり、演出用照明装置4Cの下端から、上部パネル部４の側縁に沿って延び、操作卓７の直近まで達するものとなっている。
これらの演出用照明装置4B〜4Dの各々は、赤色のレンズの内部に配置された高輝度発光ダイオード等の光源を備え、遊技の進行に応じて、その光源の点灯又は点滅により、遊技における視覚的な演出効果を高めるものである。
【００２１】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの両側には、遊技に係る効果音を発生するスピーカを備えた音声出力部4Fがそれぞれ設けられている。
【００２２】
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、三個の回転リール11のそれぞれを停止させる際に操作される三個のストップボタン7Dが設けられている。これら三個のストップボタン7Dのうち、左端に配置されているストップボタン7Dの左斜め上方には、一度の操作で最大枚数のメダルを賭けることができるマックスベットボタン7Eが設けられている。
また、左端のストップボタン7Dの左方であって、マックスベットボタン7Eの左斜め下方の位置には、三個の回転リール11を一斉に回転させる際に操作されるスタートレバー7Fが設けられている。このスタートレバー7Fの左斜め上方には、１回の操作で貯留されているメダルを１枚賭けることのできる、換言すると、メダルを１枚ずつ賭ける際に操作されるベットスイッチ7Gが設けられている。
【００２３】
さらに、ベットスイッチ7Gの左斜め下方には、精算時に貯留されているメダルを払い出させる精算ボタン7Hが設けられている。
ここで、三個のストップボタン7Dの図１中上方であって、メダル投入部7C及びマックスベットボタン7Eには、本発明の基づく押しボタン型スイッチ装置40を有する複合スイッチ装置20が設けられている。この複合スイッチ装置20については、後で詳しく説明する。
【００２４】
（下部パネル部５及び受皿ユニット６）
下部パネル部５には、スロットマシン１のモデルタイプを表す象徴するキャラクター等が描かれたパネル5Aが設けられている。
また、下部パネル部５に設けられたパネル5Aにおける図２中左側及び右側には、上下方向に細長い帯状に形成された演出用照明装置5Bがそれぞれ設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
【００２５】
（複合スイッチ装置20）
複合スイッチ装置20は、スロットマシン１で所定の演出が実行されている際に、例えば、液晶表示装置4Eの画面に所定の演出用動画が表示される演出が実行されている際に、実行中の演出に呼応した操作を遊技者に行わせるためのものである。
この複合スイッチ装置20は、図２に示すように、上下左右の十字形に配置されているとともに、五角形状に形成された４つの被押圧部31A （十字ボタン）を有する十字キー装置30と、図２中、四角形状に形成された１つのボタン部41を有する押しボタン型スイッチ装置40とが組み合わされたものである。
すなわち、複合スイッチ装置20は、操作卓７に直接取り付けられる取付部材として形成された１個の取付ベース21に、十字キー装置30及び押しボタン型スイッチ装置40の両方が組み付けられたものである。
また、換言すると、十字キー装置30及び押しボタン型スイッチ装置40は、取付ベース21を介して操作卓７に取り付けられるようになっている。
【００２６】
（取付ベース21）
取付ベース21は、図３〜図５に示すように、操作卓７の表面に配置される平板状のプレート部22と、操作卓７への固定を行うために、プレート部22の裏面に突設された取付突片23と、プレート部22の裏面から膨出する膨出部24とが一体成形されたものである。
【００２７】
取付突片23は、図３の如く、操作卓７へのプレート部22の固定を行う図示しないネジが挿通されるネジ挿通孔23A が形成されたものである。
膨出部24は、図４の如く、内部に押しボタン型スイッチ装置40のボタン部41を収納するボタン室24A が形成されたものである。
ここで、取付ベース21の表側の面には、十字キー装置30の４つの被押圧部31A をそれぞれ挿通させる４つの被押圧部挿通孔22A が４つの被押圧部31A に対応して開口され、且つ、ボタン型スイッチ装置40のボタン部41を挿通させるボタン部挿通孔22B がボタン部41に対応して開口されている。
ボタン部41は、ボタン部挿通孔22B を通じて、ボタン室24A の内部に入れられるようになっている。
【００２８】
（十字キー装置30）
十字キー装置30は、スロットマシン１で所定の演出の実行中において、液晶表示装置4Eの画面に表示された複数の選択事項のうちの一つを選択する際に、遊技者が操作する操作用装置である。
十字キー装置30には、取付ベース21に対向する被駆動面31B に、４つの被押圧部31A が一体成形された円盤状の十字キー部材31と、図５の如く、被駆動面31B とは反対側の電極面31C に対向配置されるスイッチ基板32とが設けられている。
十字キー部材31は、スイッチ基板32との間に介装されるとともに、当該十字キー部材31の中心位置に配置された図示しないコイルばねによって、スイッチ基板32から離れる方向に付勢されたものである。
この十字キー部材31の電極面31C には、電気伝導性を有する合成ゴムで形成された４つの電極31D が、図５の如く、反対側の４つの被押圧部31A に対応して設けられている。
【００２９】
スイッチ基板32は、十字キー部材31側の電極面31C に対向する面に形成された図示しない４組の対向電極を有するものである。
これら４組の対向電極の各々は、互いに電気的に絶縁された一対の電極であって、十字キー部材31側の４つの電極31D のそれぞれに対応する位置に設けられたものである。
以上のような十字キー装置30は、十字キー部材31側の４つの被駆動面31B のうちのいずれかが押圧されると、押圧された被駆動面31B の裏側に設けられた電極31D が、スイッチ基板32側に設けられた対応する一対の対向電極に接触して、これら一対の対向電極を電気的に相互に導通するものとなっている。
【００３０】
（押しボタン型スイッチ装置40）
押しボタン型スイッチ装置40は、スロットマシン１で所定の演出の実行中において、液晶表示装置4Eの画面に表示される所定の演出用動画に呼応して、遊技者が押圧操作する操作装置である。
押しボタン型スイッチ装置40には、図６及び図７に示すように、遊技者によって押圧操作されるボタン部41と、このボタン部41が押圧操作されたことを検出する操作検出部である検出回路基板42と、ボタン部41を押圧方向に沿って往復駆動する振動用ソレノイド操作機44A と、ボタン部41の押圧操作が行えなくする強制停止用ソレノイド操作機43A と、強制停止用ソレノイド操作機43A の駆動力をボタン部に伝達するためのリンク部材45と、ボタン部41及び検出回路基板42の間に配置されたコイルばね46とが設けられている。
【００３１】
図４及び図５に戻って、取付ベース21における十字キー装置30が設けられている部位には、取付ベース21から離間した位置で強制停止用ソレノイド操作機43A を支持するために、台座状に形成された取付基部43B と、強制停止用ソレノイド操作機43A を内部に収納する箱状のソレノイドホルダ43C とが、取付基部43B 及びソレノイドホルダ43C の両方を貫通する図示しない長尺のネジでネジ止めされるようになっている。
そして、強制停止用ソレノイド操作機43A は、取付基部43B 及びソレノイドホルダ43C を介して取付ベース21に取り付けられている。
【００３２】
取付基部43B は、筒状に形成されるとともに、内部空間を二つに仕切る仕切壁が内部に設けられた部材である。
この取付基部43B には、取付ベース21側の端部から取付ベース21へ向かって突出する一対の脚部43G を備えている。これら一対の脚部43G によって、取付基部43B は、十字キー装置30の十字キー部材31の動作を阻害することなく、取付ベース21に取り付けられるようになっている。
このような取付基部43B における取付ベース21に臨む面には、十字キー装置30のスイッチ基板32が取り付けられるようになっている。
また、取付基部43B における強制停止用ソレノイド操作機43A 側の端部には、内部に強制停止用ソレノイド操作機43A が収納・固定された状態のソレノイドホルダ43C が連結されるようになっている。
【００３３】
ボタン部41は、図４及び図５の如く、押圧操作の際に遊技者の指先等に触れられる被押圧部41A と、この被押圧部41A を支持するとともに、取付ベース21に移動可能に取り付けられる基部41B とを備えたものである。
ここで、取付ベース21は、ボタン室24A の内部に収納されているボタン部41の基部41B を、当該ボタン部41の押圧方向に沿って移動可能に支持する基部となっている。
また、取付ベース21には、図４の如く、当該取付ベース21に設けられているボタン部挿通孔22B の周囲から、当該ボタン部挿通孔22B の内側に向かって突出する鍔部22C が設けられている。
【００３４】
被押圧部41A は、平べったい箱状に形成されているとともに、取付ベース21側の面が開口されている部材である。
この被押圧部41A には、図４及び図５の如く、取付ベース21に近接する端縁から取付ベース21に向かって突出するとともに、取付ベース21側の鍔部22C に係止される爪部41C と、取付ベース21に近接する端縁、換言すると、基部41B に近接する端縁から基部41B に向かって突出するとともに、基部41B に設けられている後述する楔状部41D を係止させる環状部41E とが設けられている。
【００３５】
基部41B は、図５中、取付ベース21に向かって先細りとなった四角錐部41F と、この四角錐部41F の頂部から取付ベース21へ向かって突出する筒部41G と、四角錐部41F の底面側に連続する四角筒部41H とを備え、全体が漏斗状に形成されたものとなっている。
基部41B には、図５の如く、四角筒部41H の外側面に形成された前述の楔状部41D と、四角筒部41H の外側面おける四角錐部41F に接する端縁部分から突出する鍔部41J と、四角錐部41F における取付ベース21に臨む傾斜面から突出するとともに、強制停止用ソレノイド操作機43A に連結するための部位である連結突起41K と、この連結突起41K が突設された四角錐部41F の傾斜面から突出するとともに、ボタン部41が押圧されたことを検出するための部位である被検出突起41L とが設けられている。
【００３６】
基部41B に設けられている連結突起41K の先端部分には、図４及び図５の如く、リンク部材45に設けられている後述する長孔45B の内部に挿通されるとともに、当該連結突起41K の延出方向と交差する方向に突出する突起部41M が設けられている。
また、基部41B に設けられている筒部41G の先端面（図５参照）は、振動用ソレノイド操作機44A に設けられている後述するプランジャ44D の先端を当接させるための当接部41N となっている。
【００３７】
この際、被押圧部41A 及び基部41B は、被押圧部41A 側の環状部41E に基部41B 側の楔状部41D を嵌合させて係止させることにより、一体化されるようになっている。
また、一体化された被押圧部41A 及び基部41B 、すなわち、ボタン部41は、一旦、取付ベース21のボタン部挿通孔22B の内部に押し込まれると、ボタン部挿通孔22B の外側に抜き出そうとしても、被押圧部41A の爪部41C が鍔部41J に係止され、ボタン部挿通孔22B の外へ出ないようになっている。
さらに、ボタン部41及び検出回路基板42の間に配置されたコイルばね46は、図６及び図７において、ボタン部41及び検出回路基板42の間に介装されているように記されているが、実際には、取付ベース21に形成されたボタン室24A の底部と、ボタン部41との間に介装されている。そして、ボタン部41は、コイルばね46によって、ボタン部挿通孔22B の外側へ押し出される方向へ常に付勢され、且つ、その爪部41C が取付ベース21側の鍔部41J に係止されて、ボタン部挿通孔22B の外側へ抜けないようになっている。
【００３８】
検出回路基板42は、ボタン部41がコイルばね46の弾性力に抗して押圧されて、ボタン部挿通孔22B の内部に没入したことを検出するための回路が形成されたものである。
すなわち、検出回路基板42には、図４に示すように、投光素子42A 及び受光素子42B を有するフォトインターラプタ42C と、ボタン部41の筒部41G の内部に挿通されるガイド棒42D と、強制停止用ソレノイド操作機44A に設けられている、後述するプランジャ44D を挿通させるプランジャ挿通孔42E とが設けられている。
ここで、ボタン部41は、筒部41G の内周面が検出回路基板42側に設けられたガイド棒42D の外周面に案内されて、ボタン室24A の内部を押圧方向に沿ってスムースに移動するようになっている。
そして、ボタン部41は、被押圧部41A がコイルばね46の弾性力に抗して押圧されて、ボタン部挿通孔22B の内部に没入し、その被検出突起41L が、フォトインターラプタ42C の投光素子42A 及び受光素子42B の間に進入すると、投光素子42A が発する光を遮るようになっている。これにより、フォトインターラプタ42C は、ボタン部41が押圧操作されたことを検出し、ボタン部41の押圧操作を検出すると、押圧操作信号を出力するようになっている。
【００３９】
強制停止用ソレノイド操作機43A は、内蔵された図示しない電磁コイルと、この電磁コイルによって進退駆動される磁性体からなるプランジャ43D とを備えたものである。
強制停止用ソレノイド操作機43A のプランジャ43D の先端には、当該プランジャ43D よりも直径が大きい円盤として形成された駆動ディスク43E が取り付けられている。そして、駆動ディスク43E と、振動用ソレノイド操作機43A の本体との間には、振動用ソレノイド操作機43A の本体から遠ざける方向に駆動ディスク43E を付勢する復帰用ばね43F が介装されている。
このような強制停止用ソレノイド操作機43A は、内蔵された図示しない電磁コイルに電流が流通されて励起されると、電磁コイルがプランジャ43D の先端部分を内部に引き込み、駆動ディスク43E を、復帰用ばね43F の弾性力に抗して、当該強制停止用ソレノイド操作機43A の本体に近づく方向に駆動するようになっている。
以上において、プランジャ43D は、強制停止用ソレノイド操作機43A に設けられている電磁コイルによって往復駆動される強制停止用プランジャ部となっている。
【００４０】
このような強制停止用ソレノイド操作機43A は、内蔵された図示しない電磁コイルに電流が流通されて励起されると、電磁コイルがプランジャ43D の先端部分を内部に引き込み、駆動ディスク43E を、復帰用ばね43F の弾性力に抗して、当該強制停止用ソレノイド操作機43A の本体に近づく方向に駆動し、すなわち、ボタン部41から離れる方向に移動させるようになっている。
一方、強制停止用ソレノイド操作機43A の図示しない電磁コイルの電流が遮断されると、復帰用ばね43F の弾性力によって、プランジャ43D が元の位置に復帰し、プランジャ43D が元の位置に復帰すると、駆動ディスク43E も元の位置に戻るようになっている。
【００４１】
強制停止用ソレノイド操作機43A のプランジャ43D の先端部分、すなわち、駆動ディスク43E は、前述したリンク部材45を介してボタン部41に連結されている。
このリンク部材45は、図４〜図６示すように、Ｌ字形状に折れ曲がった部材となっており、Ｌ字の二辺のうち、プランジャ43D の往復方向と直交する方向に延びる辺が固定アーム45D とされ、プランジャ43D の往復方向に沿って延びる辺がリンクアーム45A となっている。
【００４２】
このうち、固定アーム45D の先端には、振動用ソレノイド操作機43A 側のプランジャ43D の先端部分と連結するために、当該プランジャ43D の先端部分に設けられた駆動ディスク43E を内部に収納する収納スリーブ45C が形成されている。
この収納スリーブ45C は、駆動ディスク43E の厚さに対応した隙間を有する薄い袋状の部位であり、内部に収納された駆動ディスク43E をタイトに保持するものである。
また、収納スリーブ45C には、先端に駆動ディスク43E が取り付けられたプランジャ43D を外部に取り出すための切り込み部45E が形成されている。
一方、リンクアーム45A の先端部分には、ボタン部41側に設けられた突起部41M を挿通させるために、プランジャ43D の往復方向に沿って延びる長孔45B が形成されている。
【００４３】
このようなリンク部材45及びボタン部41は、ボタン部41が押圧されていない状態において、図６及び図７の如く、リンク部材45側の長孔45B におけるボタン部41に近い方の端部に、ボタン部41の突起部41M が常に接触するように配置されている。
そして、振動用ソレノイド操作機43A の図示しない電磁コイルに電流が流通され、当該電磁コイルが励起され、プランジャ43D が電磁コイルに引き込まれて振動用ソレノイド操作機43A の内部に向かって後退する、換言すると、プランジャ43D が、図６中、左側に移動すると、プランジャ43D の動きに直接連動して、ボタン部41が、当該ボタン部41の移動範囲における図６中左側の端部まで移動するようになっている。これにより、ボタン部41は、押圧操作が可能な状態から、強制的に押圧操作ができない状態に移行するようになっている。
一方、振動用ソレノイド操作機43A の図示しない電磁コイルの電流が遮断されると、復帰用ばね43F の弾性力によって、プランジャ43D が元の位置に復帰し、プランジャ43D が元の位置に復帰すると、プランジャ43D の動きに直接連動して、ボタン部41が、コイルばね46の弾性力によって、元の位置に復帰するようになっている。これにより、ボタン部41は、押圧操作ができない状態から、押圧操作が可能な状態に戻るようになっている。
【００４４】
ところで、取付ベース21に形成された膨出部24における振動用ソレノイド操作機44A に臨む面には、図４及び図５の如く、振動用ソレノイド操作機44A を固定するための台座部材である取付基部44B が図示しないネジでネジ止めされるようになっている。
この取付基部44B は、膨出部24における振動用ソレノイド操作機44A に臨む面に取り付けられる台座部44N と、この台座部44N から振動用ソレノイド操作機44A へ向かって延びる被取付片44E と、振動用ソレノイド操作機44A の後述するプランジャ44D を挿通させるプランジャ挿通孔44F とを備えた部材である。
【００４５】
このような取付基部44B には、Ｌ字形の側面形状を有する固定具44C と図示しないネジによって、振動用ソレノイド操作機44A が強固に固定されるようになっている。
すなわち、固定具44は、そのＬ字の一辺における先端部分の幅を縮小することによって形成された差し込み部44G と、そのＬ字の他辺における先端の一部分を折り曲げることによって形成されたネジ止め部44H と、Ｌ字形の固定具44のコーナー部が開かないように、Ｌ字の両辺を連結して補強するリブ状補強部44J とを有するものである。
【００４６】
取付基部44B に設けられている被取付片44E の先端部分には、固定具44の差し込み部44G が差し込まれて、当該差し込み部44G を係止する係止長孔44K （図５参照）が設けられている。
固定具44における先端にネジ止め部44H が形成されているＬ字の他辺には、振動用ソレノイド操作機44A が沿わされるとともに、このＬ字の他辺を貫通する図示しないネジで、振動用ソレノイド操作機44A がネジ止めされるようになっている。
このようにして振動用ソレノイド操作機44A がネジ止めされた固定具44は、その差し込み部44G が取付基部44B 側の係止長孔44K に差し込まれて係止されるとともに、Ｌ字の他辺に設けられたネジ止め部44H が当該ネジ止め部44H を貫通する図示しないネジで、取付基部44B 側の台座部44N にネジ止めされるようになっている。
そして、振動用ソレノイド操作機44A は、固定具44C を介して取付基部44B に取り付けられているとともに、取付基部44B の被取付片44E を貫通する図示しないネジで、当該被取付片44E に直接ネジ止めされ、これにより、取付基部44B に強固に固定されるようになっている。
【００４７】
振動用ソレノイド操作機44A は、内蔵された図示しない電磁コイルと、この電磁コイルによって進退駆動される磁性体からなる、前述したプランジャ44D とを備えたものである。
振動用ソレノイド操作機44A のプランジャ44D の後端には、図５〜図７に示すように、当該プランジャ44D の直径よりも一辺の長さ寸法が大きい正方形状の駆動板44L が取り付けられている。そして、駆動板44L と、振動用ソレノイド操作機44A の本体との間には、振動用ソレノイド操作機44A の本体から遠ざける方向に駆動板44L を付勢する復帰用ばね44M が介装されている。
【００４８】
このような振動用ソレノイド操作機44A には、駆動用の駆動電圧パルスを電磁コイルに与えるとともに、電磁コイルに与える駆動電圧パルスのパルス幅及びパルス振幅が可変となっている、図示しない電圧パルス供給装置が電気的に接続されている。
この電圧パルス供給装置によって、その電磁コイルに駆動電圧パルスが連続的に供給されると、振動用ソレノイド操作機44A は、電磁コイルでプランジャ44D を往復駆動させることで、プランジャ44D を振動させ、プランジャ44D の先端に係合した物体を振動することができるようになっている。
また、電圧パルス供給装置に対して、当該電圧パルス供給装置が出力する駆動電圧パルスのパルス幅及びパルス振幅の設定を変更することで、振動用ソレノイド操作機44A は、振動するプランジャ44D の振動数、振幅、振動の強さが変更可能となっている。
【００４９】
以上のような複合スイッチ装置20を備えたスロットマシン１では、複合スイッチ装置20を利用して、ボタン部41を振動させるボタン振動演出と、押圧操作が行えないようにボタン部41を固定するボタン固定演出とが選択的に行えるようになっている。
ボタン振動演出では、前述の図示しない電圧パルス供給装置が振動用ソレノイド操作機44A の電磁コイルに多数の駆動電圧パルスを連続的に与え、これにより、プランジャ44D を振動させ、この状態で、ボタン部41が押圧操作されると、ボタン部41の裏側部分がプランジャ44D に当接し、プランジャ44D の振動によって、押圧状態にあるボタン部41が振動するようになっている。
【００５０】
ボタン振動演出を実行するにあたり、予め、電圧パルス供給装置が出力する駆動電圧パルスのパルス幅及びパルス振幅を、遊技の状況に応じた値に設定し、スロットマシン１の図示しない制御装置に記憶させておく。これにより、遊技の状況に相応しい振動数、振幅及び振動の強さで、ボタン部41が振動するボタン振動演出が実行される。
ここで、ボタン部41を振動させるボタン振動演出の実行時においても、遊技者がボタン部41を押圧操作した際には、フォトインターラプタ42C が出力する押圧操作信号を有効なものとして取り扱うようになっている。なお、必要に応じて、ボタン部41を振動させるボタン振動演出の実行時に、フォトインターラプタ42C が出力する押圧操作信号を無効なものとして取り扱ってもよい。
【００５１】
ボタン固定演出では、強制停止用ソレノイド操作機43A の電磁コイルに直流電圧を与えて電磁吸引力を発生させ、この電磁コイルの電磁吸引力で、プランジャ43D をボタン部41から離れる方向へ移動させて、ボタン部41を取付ベース21の内部に没入させ、これにより、押圧操作が行えない状態にボタン部41を固定する。
そして、ボタン固定演出を終了するにあたり、強制停止用ソレノイド操作機43A の電磁コイルに与えていた直流電圧の印加を止め、これにより、プランジャ43D を元の位置に戻し、これにより、ボタン部41を押圧操作できるようにする。
なお、ボタン固定演出の実行時には、ボタン部41が自動的に押圧操作されることとなるので、フォトインターラプタ42C が出力する押圧操作信号を無効なものとして取り扱うようになっている。
また、ボタン固定演出が開始されてから所定時間が経過すると、ボタン固定演出が終了し、ボタン固定演出が終了すると、フォトインターラプタ42C が出力する押圧操作信号を有効なものとして取り扱うようになっている。
【００５２】
前述のような本実施形態によれば、次のような効果が得られる。
すなわち、ボタン部41の押圧方向に沿って移動可能にボタン部41を支持する取付ベース21を設け、遊技者等によって押圧操作された状態のボタン部41を、振動用ソレノイド操作機44A で押圧方向に沿って往復駆動し、且つ、振動用ソレノイド操作機44A に与える駆動電圧パルスのパルス幅及びパルス振幅が可変となっている電圧パルス供給装置で振動用ソレノイド操作機44A に電力を供給するようにしたので、振動用ソレノイド操作機44A が振動させるべき振動の対象物がボタン部41のみとなり、振動用ソレノイド操作機44A 自身を振動させる必要も、ボタン部41を支持する取付ベース21を振動させる必要もなく、振動させる対象を著しく軽くすることができる。
【００５３】
また、振動用ソレノイド操作機44A を駆動するための駆動電圧パルスを振動用ソレノイド操作機44A に与える電圧パルス供給装置として、振動用ソレノイド操作機44A に与える駆動電圧パルスのパルス幅及びパルス振幅が可変となっているものを採用したので、振動用ソレノイド操作機44A を振動させるにあたり、その振動の振幅や振動数を任意に変化させることができ、これにより、押しボタン型スイッチ装置40で報知演出を行うにあたり、振動するボタン部41の振幅や振動数の異なる複数種類の報知演出の実行が可能となり、報知演出のバリエーションを増やすことができる。
【００５４】
さらに、振動用ソレノイド操作機44A に設けられている電磁コイルによって往復駆動されるプランジャ44D を設け、ボタン部41が押圧操作された状態で、振動用ソレノイド操作機44D の電磁コイルに多数の駆動電圧パルスを連続的に与えると、プランジャ44D が往復動を繰り返し、これにより、押圧操作された状態のボタン部41を振動させることができ、このため、ボタン部41を押圧操作している遊技者に、ボタン部41の振動を確実に感じさせることができる。
【００５５】
また、ボタン部41の押圧方向における背後に設けられた振動用ソレノイド操作機44A の横に、強制停止用ソレノイド操作機43A を設け、この強制停止用ソレノイド操作機43A の作動によって、ボタン部41の押圧操作が行えないようにしたので、報知演出のバリエーションとして、ボタン部41が固定されて押圧操作が行えない報知演出を追加でき、この点からも、報知演出のバリエーションを増やすことができる。
さらに、強制停止用ソレノイド操作機43A に設けられているプランジャ部43D の往復駆動方向とは交差する方向に延びる固定アーム部45D を有するとともに、この固定アーム部45D でプランジャ部43D の往復駆動方向から外れた位置に駆動力を伝達するリンク部材45を設け、このリンク部材45を介して、強制停止用ソレノイド操作機43A とボタン部41とを相互に連結したので、ボタン部41の押圧方向における背後に配置された振動用ソレノイド操作機44A の横に強制停止用ソレノイド操作機43A を並設したために、強制停止用ソレノイド操作機43A の往復駆動力をボタン部41に直接伝達できなくても、リンク部材45を介して強制停止用ソレノイド操作機43A の往復駆動力をボタン部41に伝達することができ、従って、報知演出のバリエーションを増やすために、一つのボタン部41に対して振動用ソレノイド操作機44A 及び強制停止用ソレノイド操作機44A の二つの操作機を配置しても、何ら問題が生じることがなく、この点から、報知演出のバリエーションを確実に増やすことができる。
【００５６】
また、リンク部材45でプランジャ部44D とボタン部41とを相互に連結するにあたり、リンク部材45におけるボタン部41の近接する端部近傍に、その押圧方向に沿って延びる長孔45B を形成し、ボタン部41側にリンク部材45の長孔45B に挿通される突起部41M を設け、さらに、ボタン部41が押圧されていないとともに、強制停止用ソレノイド操作機43A が作動していない状態において、長孔45M におけるボタン部41に近い方の端部に、ボタン部41の突起部41M が常に接触するように、長孔45M及び突起部41M の位置関係を設定したので、強制停止用ソレノイド操作機43A が作動していない状態で、長孔45M のボタン部41に近い方の端部から遠い方の端部までの間を突起部41M が往復する場合、突起部41M の往復動を規制するものが何らなく、これにより、突起部41M を自由に往復動させることができる。
このため、強制停止用ソレノイド操作機43A が作動していないときは、長孔45M によって、プランジャ部43D とボタン部41とが連結されていないのと同じ状態となり、強制停止用ソレノイド操作機43Aでボタン部41の操作が行えないようにしても、ボタン部41の押圧操作を阻害するものが何ら発生せず、従って、ボタン部41の操作力を軽くすることができ、これにより、ボタン部41を操作しやすいものにすることができる。
【００５７】
なお、本発明は、前記実施形態に限定されるものではなく、本発明の目的を達成できる範囲における変形及び改良などをも含むものである。
例えば、前記実施形態では、電磁コイルが励起されると、強制停止用のプランジャ部43D が電磁コイルに吸引され、強制停止用ソレノイド操作機43A の内部に没入するものを採用したが、これに限らず、前記実施形態における強制停止用ソレノイド操作機43A の動作とは逆に、電磁コイルが励起されると、強制停止用プランジャ部が電磁コイルから押し出され、強制停止用ソレノイド操作機の外部へ向かって前進するものを採用し、且つ、強制停止用プランジャ部を元の位置に復帰させる復帰用ばねとして、前記実施形態における復帰用ばね43F のような圧縮ばねではなく、張力ばねを採用してもよい。
【００５８】
このようにすれば、ボタン固定演出が開始されると、強制停止用ソレノイド操作機が制停止用プランジャ部を押し出し、押し出された強制停止用プランジャ部がリンク部材を介してボタン部を押圧し、これにより、押圧操作が行えない状態にボタン部41を固定することができる。
【００５９】
また、遊技機としては、スロットマシンに限らず、遊技場に設置される弾球遊技機や、ゲームセンター等に設置されるテレビゲーム等でもよく、本発明は、遊技機の演出で押しボタン型スイッチ装置を利用する遊技機全般に適用することができる。
【符号の説明】
【００６０】
1        遊技機としてのスロットマシン
21        基部としての取付ベース
40        押しボタン型スイッチ装置
41        ボタン部
41M       突起部
42        操作検出部としての検出回路基板
43A       強制停止用ソレノイド操作機
43D       強制停止用プランジャ部としてのプランジャ
44A       振動用ソレノイド操作機
44D       振動用プランジャ部としてのプランジャ
45        リンク部材
45B       長孔
45D       腕部としての固定アーム
【図１】
2013162885.tif 000003
【図２】
2013162885.tif 000004
【図３】
2013162885.tif 000005
【図４】
2013162885.tif 000006
【図５】
2013162885.tif 000007
【図６】
2013162885.tif 000008
【図７】
2013162885.tif 000009